(57)【要約】【課題】左右への屈曲性を確保でき且つ耐久性に優れたフレキシブルベルトを提供する。【解決手段】ゴム系材料を素材とする無端状の可撓層３に、その幅方向へ直線的に延びる多数の補強材４を周回方向へ等間隔に且つ可撓層３の厚み方向に２列にわたって内装し、可撓層３の溝５が形成してある一方の面に近い所で周方向に列をなしている各補強材４の端部を、可撓層３の他方の面に向けて屈折させ、可撓層３の他方の面に近い所で周方向に列をなしている各補強材４の端部を、可撓層３の一方の面に向けて屈折させている。  つまり、フレキシブルベルトを曲げるために可撓層３の側面をガイドローラ１で支えたとしても、補強材４の端部が可撓層３の側縁部分に突き刺さらない。【選択図】図１
2007084240.tif 000002
【特許請求の範囲】
【請求項１】
無端状の可撓層にその幅方向へ延びる多数の補強材を周回方向へ所定の間隔で内装したフレキシブルベルトであって、各補強材の端部を可撓層の内方に向けて曲げたことを特徴とするフレキシブルベルト。
【請求項２】
無端状の可撓層にその幅方向へ延びる多数の補強材を周回方向へ所定の間隔で内装したフレキシブルベルトであって、各補強材の端部を可撓層の側面寄り部位が平らなキャップで包んだことを特徴とするフレキシブルベルト。
【請求項３】
無端状の可撓層にその幅方向へ延びる多数の補強材を周回方向へ所定の間隔で内装したフレキシブルベルトであって、各補強材の端部と可撓層の側面の間に厚地平織物よりなる保護層を介在させたことを特徴とするフレキシブルベルト。
【発明の詳細な説明】
【技術分野】
【０００１】
本発明は動く歩道などの搬送装置に用いるフレキシブルベルトに関するものである。
【背景技術】
【０００２】
多数の利用者を連続的に輸送する動く歩道には、多数の金属製パレットを一定の経路に沿って循環移動させるものと、無端状のフレキシブルベルトを周回させるものとがある。
【０００３】
フレキシブルベルトは左右に比較的容易に弾性変形させることができるので、搬送経路の平面視が曲がった動く歩道（特許文献１参照）や、これに見合うフレキシブルベルトが提案されている（特許文献２参照）。
【０００４】
特許文献１の動く歩道は、図６に示すようにＡ地点からＢ地点へ向けて円弧を描く搬送経路の内側（凹湾曲側）に配置した複数のガイドローラ１により、無端状ベルト２の側面を支える構成を採っている。
【０００５】
特許文献２のフレキシブルベルトは、図７に示すようにゴム系材料を素材とする無端状の可撓層３に、その幅方向へ直線的に延びる多数の補強材（鋼線）４を周回方向へ等間隔に且つ可撓層３の厚み方向に２列にわたって内装した構成を採っており、これら補強材４で可撓層３の幅方向縁部に対する中央部の下方への撓みを抑えている。
【０００６】
また、可撓層３の利用者が載る面には、周回方向へ延びる溝５がベルト幅方向に等間隔に形作ってある。
【特許文献１】特開２００４−１３１２０６号公報
【特許文献２】特開２００２−０２００７０号公報
【発明の開示】
【発明が解決しようとする課題】
【０００７】
しかしながら、図７に示すフレキシブルベルトの側面をガイドローラ１で支えた場合、可撓層３の側面がガイドローラ１へ向けて押し付けられ、可撓層３の側縁部分に補強材４の端部が突き刺さることにより損傷が発現することになり、充分な耐久性が得られない。
【０００８】
本発明は上述した実情に鑑みてなしたもので、左右への屈曲性を確保でき且つ耐久性に優れたフレキシブルベルトを提供することを目的としている。
【課題を解決するための手段】
【０００９】
上記目的を達成するため本発明は、無端状の可撓層にその幅方向へ延びる多数の補強材を周回方向へ所定の間隔で内装したフレキシブルベルトであって、各補強材の端部を可撓層の内方に向けて曲げた構成を採り、可撓層を左右に曲げた際に補強材の端部が可撓層の側縁部分に突き刺さらないようにする。
【００１０】
あるいは、各補強材の端部を可撓層の側面寄り部位が平らなキャップで包んだ構成や、各補強材の端部と可撓層の側面の間に厚地平織物よりなる保護層を介在させた構成として、可撓層を左右に曲げた際に補強材の端部が可撓層の側縁部分に突き刺さらないようにする。
【発明の効果】
【００１１】
本発明のフレキシブルベルトによれば、各補強材の端部を可撓層の内方に向けて曲げる構成を採った場合、各補強材の端部を可撓層の側面寄り部位が平らなキャップで包む構成を採った場合、あるいは各補強材の端部と可撓層の側面の間に厚地平織物よりなる保護層を介在させる構成を採った場合のいずれにおいても、可撓層を左右に曲げた際に補強材の端部が可撓層の側縁部分に突き刺さらず、左右への屈曲性を確保するとともに、耐久性の向上を図ることができる、という優れた効果を奏し得る。
【発明を実施するための最良の形態】
【００１２】
以下、本発明の実施の形態を図面に基づき説明する。
【００１３】
図１及び図２は本発明のフレキシブルベルトの第１の例を示すものであり、ゴム系材料を素材とする無端状の可撓層３に、その幅方向へ直線的に延びる多数の補強材（鋼線）４を周回方向へ並び且つ可撓層３の厚み方向に２列にわたって内装し、これらの補強材４で可撓層３の幅方向縁部に対する中央部の下方への撓みを抑えている。
【００１４】
また、可撓層３の利用者が載る面には、周回方向へ延びる溝５がベルト幅方向に等間隔に形作ってある。
【００１５】
更に、帆布などの厚地平織物よりなる張力伝達層６を、可撓層３の幅方向中央部にその周方向全長にわたって、２列の補強材４の間に位置するように内装し、この張力伝達層６で左右への屈曲性を阻害せずにベルト長手方向（周方向）の強度を確保している。
【００１６】
可撓層３の溝５が形成してある一方の面に近い所で周方向に列をなしている各補強材４の端部は、可撓層３の他方の面に向けて屈折し、可撓層３の他方の面に近い所で周方向に列をなしている各補強材４の端部は、可撓層３の一方の面に向けて屈折している。
【００１７】
つまり、フレキシブルベルトを曲げるために可撓層３の側面をガイドローラ１で支えたとしても、各補強材４の端部を可撓層３の内方へ屈折させてあるので、補強材４の端部が可撓層３の側縁部分に突き刺さらない。
【００１８】
よって、フレキシブルベルトの左右への屈曲性を確保しつつ耐久性の向上を図ることができる。
【００１９】
図３は本発明のフレキシブルベルトの第２の例を示すものであり、図中、図１と同一の符号を付した部分は同一物を表わしている。
【００２０】
このフレキシブルベルトは、可撓層３の溝５が形成してある一方の面に近い所で周方向に列をなしている各補強材４の端部と、可撓層３の他方の面に近い所で周方向に列をなしている各補強材４の端部との双方を、それぞれ可撓層３の内方に向けて丸めている。
【００２１】
つまり、フレキシブルベルトを曲げるために可撓層３の側面をガイドローラ１で支えたとしても、各補強材４の端部を可撓層３の内方へ丸めてあるので、補強材４の端部が可撓層３の側縁部分に突き刺さらない。
【００２２】
よって、フレキシブルベルトの左右への屈曲性を確保しつつ耐久性の向上を図ることができる。
【００２３】
図４は本発明のフレキシブルベルトの第３の例を示すものであり、図中、図１と同一の符号を付した部分は同一物を表わしている。
【００２４】
このフレキシブルベルトは、全ての補強材４の端部を可撓層３の側面寄り部位が平らなキャップ７で包んでいる。
【００２５】
つまり、フレキシブルベルトを曲げるために可撓層３の側面をガイドローラ１で支えたとしても、各補強材４の端部をキャップ７で包んであるので、補強材４の端部が可撓層３の側縁部分に突き刺さらない。
【００２６】
よって、フレキシブルベルトの左右への屈曲性を確保しつつ耐久性の向上を図ることができる。
【００２７】
図５は本発明のフレキシブルベルトの第４の例を示すものであり、図中、図１と同一の符号を付した部分は同一物を表わしている。
【００２８】
このフレキシブルベルトは、張力伝達層６と同材質の厚地平織物よりなる保護層８を、可撓層３の側縁部分にその周方向全長にわたって、２列の補強材４の端部に向き合うように内装している。
【００２９】
つまり、フレキシブルベルトを曲げるために可撓層３の側面をガイドローラ１で支えたとしても、各補強材４の端部と可撓層３の側面との間に保護層８を介在させているので、補強材４の端部が可撓層３の側縁部分に突き刺さらない。
【００３０】
よって、フレキシブルベルトの左右への屈曲性を確保しつつ耐久性の向上を図ることができる。
【００３１】
なお、本発明のフレキシブルベルトは、上述した実施の形態のみに限定されるものではなく、本発明の要旨を逸脱しない範囲において変更を加え得ることは勿論である。
【産業上の利用可能性】
【００３２】
本発明のフレキシブルベルトは、様々な搬送装置に適用できる。
【図面の簡単な説明】
【００３３】
【図１】本発明のフレキシブルベルトの第１の例を示す幅方向部分断面図である。
【図２】図１のＩＩ−ＩＩ矢視図である。
【図３】本発明のフレキシブルベルトの第２の例を示す幅方向部分断面図である。
【図４】本発明のフレキシブルベルトの第３の例を示す幅方向部分断面図である。
【図５】本発明のフレキシブルベルトの第４の例を示す幅方向部分断面図である。
【図６】既に提案されている動く歩道の平面視概念図である。
【図７】既に提案されているフレキシブルベルトの幅方向断面図である。
【符号の説明】
【００３４】
３  可撓層
４  補強材
７  キャップ
８  保護層
【図１】
2007084240.tif 000003
【図２】
2007084240.tif 000004
【図３】
2007084240.tif 000005
【図４】
2007084240.tif 000006
【図５】
2007084240.tif 000007
【図６】
2007084240.tif 000008
【図７】
2007084240.tif 000009